(57)【要約】      （修正有）【課題】釣糸の留め具について、細い釣糸であってもその接続や固定が容易に行えるものを低コストで提供する。【解決手段】挿通する釣糸の直径の１〜１．４倍の短径ａとその直径の２倍以上の長径ｂを有して断面形状が楕円形又は長円形とされた挿通孔１１を母体１０の中心線に沿って備えており、２本の釣糸７０，８０の先端側をその挿通孔１１の両端側から各々挿入し反対側に出た部分に短径ａよりも大径の結び目７０ａ，８０ａを各々形成することでその２本の釣糸７０，８０を接続、又は１本の釣糸の先端側をその挿通孔１１の一端側から挿入して他端側から延出するとともに対象物のリングに挿通してから他端側に挿入して一端側に出た部分に結び目を形成することで１本の釣糸を対象物に固定する、ことを特徴とする。【選択図】図３
2018019648.tif 000002
【特許請求の範囲】
【請求項１】
挿通する釣糸の直径の１〜１．４倍の短径と前記直径の２倍以上の長径を有して断面形状が楕円形又は長円形とされた挿通孔を母体の中心線に沿って備えており、２本の前記釣糸の先端側を前記挿通孔の両端側から各々挿入し反対側に出た部分に前記短径よりも大径の結び目を各々形成することで前記２本の釣糸を接続、又は１本の前記釣糸の先端側を前記挿通孔の一端側から挿入して他端側から延出するとともに対象物の挿通部に挿通してから前記他端側に挿入して前記一端側に出た部分に前記結び目を形成することで前記１本の釣糸を前記対象物に固定する、ことを特徴とした釣糸の留め具。
【請求項２】
前記挿通孔が両端側で開口する前記母体の端面の開口部外周側には、前記挿通孔の内周面と前記端面とで形成される角部を面取りしながら挿入する釣糸の先端を前記挿通孔内に案内する傾斜面が、前記開口部外周側の全周に亘って所定幅で形成されている、ことを特徴とする請求項１に記載した釣糸の留め具。
【請求項３】
前記傾斜面は、前記挿通孔の中心軸線に対する直角面を基準として平均で３０〜６０度傾斜しており、且つ、前記中心軸線に沿う側面視による面積が前記挿通孔の前記面積の２倍以上である、ことを特徴とする請求項２に記載した釣糸の留め具。
【請求項４】
前記母体は、外周面の断面形状が楕円形又は長円形の管状体からなり、ほぼ同一の肉厚からなる周壁の内周面により前記挿通孔が形成されている、ことを特徴とする請求項１，２又は３に記載した釣糸の留め具。
【請求項５】
前記母体の長手方向両端側には大径部が形成されており、前記傾斜面の外縁線による短径及び長径が、前記大径部以外の部分の外周面による短径及び長径よりも各々大きいものとされている、ことを特徴とする請求項４に記載した釣糸の留め具。
【請求項６】
前記母体又は該母体を中心部に備えた金属体が釣り用錘を兼ねている、ことを特徴とする、請求項１，２，３，４又は５に記載した釣糸の留め具。
【発明の詳細な説明】
【技術分野】
【０００１】
本発明は、釣糸の留め具に関し、殊に、細い釣糸であってもその接続や固定が容易に行えるようにした釣糸の留め具に関する。
【背景技術】
【０００２】
２本の釣糸を接続する場合、リーダーノット、サージャンズノット等の接続用の結び方が種々存在するが、これらの結び方は釣りの初心者には難しく、また、ベテランであっても細い糸同士を接続するには時間を要してしまう。そのため、例えば図１０に示すように、先端に釣針５０の付いたハリス４０と道糸３０を接続する箇所にサルカン９０を配置し、サルカン９０上下のリングに各々結びつけて接続することも行われており、根掛かり等でハリス４０側が切れた場合に、サルカン９０の下側リングにおいてハリス４０のみを交換することを可能としている。
【０００３】
しかし、この場合も、２本の釣糸を接続するのには、サルカン４０の上下のリングに各々結びつける必要があり、そのリングに対し釣糸を堅固に結びつけるには手間を要する。そこで、実広昭３４−９７８６号公報に記載されているように、断面８字状に形成されて２つの挿通孔を並列に備えた管状の連結具を用い、接続する２本の釣糸を両端側から各挿通孔に挿通し、反対側の開口部から出た釣糸の先端側に結び目による瘤を形成することで、その接続を行うことも考えられる。また、この連結具を用いれば、１本の釣糸の先端に錘等を固定する場合に、一方の挿通孔に挿通した釣糸の先端側を錘等のリングに通してから他方の挿通孔に挿通し、反対側に出た先端側に結び目を作ることで容易に固定作業が完了する。
【０００４】
しかし、この考案は、ロープ等のある程度太い線状体を接続することを想定したものであり、釣糸のハリスのように直径０．２ｍｍ以下の細い糸を接続することを想定したものではないため、この考案を細い釣糸に応用する場合は、狭小な挿通孔にそれと同等以下の細い釣糸を挿通する作業自体が困難となりやすい。また、極細の挿通孔を並列に２本備えた断面８字状の管状体を低コストで製作することも容易ではない。
【０００５】
これに対し、特開２００５−１３１９３号公報に記載のもののように、俵形状の母体に２本の挿通孔が互いに軸心からずらした位置で貫通して形成され、２本の釣糸を各挿通孔に挿入して反対側に出た先端側に結び目による瘤を形成することで、２本の釣糸の接続を行う方式とした釣糸の接続具も知られている。
【０００６】
この接続具は、挿入孔がテーパー状に形成されて釣糸を挿入する側の開口部が釣糸を固定する側の開口部よりも大径となっているため、前述の考案よりも釣糸の挿入が容易である。しかしながら、この接続具は２本の挿通孔を別位置に有した構造であることから、これを設ける母体がある程度の太さと重さを有したものとなるため、繊細さを要求される釣りには不向きである。また、極細の挿通孔を母体の中心軸線からずらした位置に精密な内径で並列に２本形成することは、技術的にも容易ではないため、コスト高になりやすいという難点もある。
【先行技術文献】
【特許文献】
【０００７】
【特許文献１】実広昭３４−９７８６号公報
【特許文献２】特開２００５−１３１９３号公報
【発明の概要】
【発明が解決しようとする課題】
【０００８】
本発明は、上記のような問題を解決しようとするものであり、釣糸の留め具について、細い釣糸であってもその接続や固定が容易に行えるものを低コストで提供できるようにすることを課題とする。
【課題を解決するための手段】
【０００９】
そこで、本発明は、挿通する釣糸の直径の１〜１．４倍の短径と前記直径の２倍以上の長径を有して断面形状が楕円形又は長円形とされた挿通孔を母体の中心線に沿って備えており、２本の釣糸の先端側をその挿通孔の両端側から各々挿入し反対側に出た部分に前記短径よりも大径の結び目を各々形成することで前記２本の釣糸を接続、又は１本の釣糸の先端側をその挿通孔の一端側から挿入して他端側から延出するとともに対象物の挿通部に挿通してから前記他端側に挿入して前記一端側に出た部分に前記結び目を形成することで前記１本の釣糸を前記対象物に固定する、ことを特徴とするものとした。
【００１０】
このように、釣糸を挿通して接続又は固定させるための挿通孔を、短径が釣糸の直径よりもやや大きく長径が釣糸の直径の２倍以上の断面楕円形又は長円形のものとしたことにより、１本の挿通孔に対し釣糸を２本又は２回挿通した状態で結び目を形成するだけで釣糸が脱抜不能になって、釣糸の接続や固定が容易に行えるものとなり、且つ、その挿通孔は管体を断面楕円形又は長円形に押し潰すだけで得られることから、比較的低コストで容易に製作できるものとなり、しかも、挿通孔が一本でも釣糸の接続や固定が実現するため、その母体を最小限の太さ・重さに抑えることが可能となる。
【００１１】
また、この釣糸の留め具において、その挿通孔が両端側で開口する母体の端面の開口部外周側には、その挿通孔の内周面と前記端面とで形成される角部を面取りしながら挿入する釣糸の先端を挿通孔内に案内する傾斜面が、その開口部外周側の全周に亘って所定幅で形成されている、ことを特徴としたものとすれば、極細の釣糸を狭小な挿通孔に挿入することが容易なものとなり、且つ、釣糸の結び目及びそれに近接した部分が前記角部で傷付くのを防止しながら、結び目が対向した傾斜面に挟まれるように面接触することで、高い引っ張り強度を確保しやすいものとなる。
【００１２】
この場合、その傾斜面は、挿通孔の中心軸線に対する直角面を基準として平均で３０〜６０度傾斜しており、且つ、前記中心軸線に沿う側面視による面積が、挿通孔の前記面積の２倍以上であることを特徴としたものとすれば、傾斜面を大きくすることで釣糸の挿通作業の容易さを実現しながら、挿通した釣糸において充分なる引っ張り強度を確保可能なものとなる。
【００１３】
さらにまた、上述した釣糸の留め具において、その母体は外周面の断面形状が楕円形又は長円形の管状体からなり、ほぼ同一の肉厚からなる周壁の内周面により前記挿通孔が形成されている、ことを特徴としたものとすれば、断面円形の一般的な管状部材を外周側から押し潰して扁平に変形させるだけで容易に作成できるものとなる。
【００１４】
この場合、その母体の長手方向両端側には大径部が形成されて、前記傾斜面の外縁線による短径及び長径が、大径部以外の部分の外周面による短径及び長径よりも各々大きいものとされている、ことを特徴としたものとすれば、傾斜面を大きく確保することで釣糸の挿入作業が一層容易になることに加え、噛み潰し錘を釣糸の留め具に固定する際に、その大径部があることで錘の位置ズレを起こしにくいものとなる。
【００１５】
加えて、前記母体又はこの母体を中心部に備えた金属体が釣用錘を兼ねている、ことを特徴としたものとすれば、釣用錘を釣糸の接続・固定手段としても使用可能なものとなる。
【発明の効果】
【００１６】
釣糸を挿通する挿通孔を、短径が釣糸の直径よりもやや大きく長径が釣糸の直径の２倍以上の断面楕円形又は長円形にして、１本の挿通孔に釣糸を２本又は２回挿通するものとした本発明によると、細い釣糸であってもその接続又は固定が容易に行えるものとして低コストで提供することができる。
【図面の簡単な説明】
【００１７】
【図１】（Ａ）は本発明の第１の実施の形態である釣糸の留め具の平面図、（Ｂ）は（Ａ）の左側面図である。
【図２】（Ａ）は、図１（Ａ）のＸ−Ｘ線に沿う断面図、（Ｂ）は図１（Ｂ）のＹ−Ｙ線に沿う断面図である。
【図３】（Ａ）は図１の釣糸の留め具の使用方法を示す平面図であって、挿通した釣糸の先端部に結び目を作った状態、（Ｂ）は（Ａ）の状態から釣糸を引いて接続を完了した状態の平面図、（Ｃ）は（Ａ）のＹ−Ｙ線に沿う拡大した断面図である。
【図４】（Ａ）は本発明の第２の実施の形態である釣糸の留め具の横断面図、（Ｂ）は（Ａ）の釣糸の留め具の縦断面図である。
【図５】（Ａ）は図１の釣糸の留め具を用いて釣糸を錘に固定した状態を示す正面図、（Ｂ）は図４の釣糸の留め具を用いて釣糸をルアーのリングに固定した状態を示す正面図である。
【図６】（Ａ）は図３（Ｂ）の釣糸の留め具に噛み潰し錘を固定した状態を示す正面図、（Ｂ）は（Ａ）のＸ−Ｘ線に沿う断面図、（Ｃ）は（Ｂ）のＹ−Ｙ線に沿う断面図である。
【図７】（Ａ）は図４の釣糸の留め具を釣用錘に内装した状態の正面図、（Ｂ）は（Ａ）の左側面図（釣糸を省略）、（Ｃ）は（Ｂ）のＹ−Ｙ線に沿う断面図である。
【図８】（Ａ）は図４の釣糸の留め具に噛み潰し錘を固定した状態を示す縦断面図、（Ｂ）は図４の釣糸の留め具の挿通孔と同様の挿通孔を金属体に形成してなる釣用錘の縦断面図、（Ｃ）は図４の釣糸の留め具に硬質の錘を着脱自在に装着した状態を示す縦断面図である。
【図９】（Ａ）は図１（Ｂ）の釣糸の留め具の母体及び挿通孔の断面形状を長円形にした場合を示す左側面図、（Ｂ）は図４（Ｂ）の釣糸の留め具の母体及び挿通孔の断面形状を長円形にした場合を示す左側面図である。
【図１０】従来の釣糸の接続状態を示す正面図である。
【発明を実施するための形態】
【００１８】
以下に、図面を参照しながら本発明を実施するための形態を説明する。尚、本発明において、長円形とは陸上競技場のトラックのように２つの半円形の間を直線で繋いだ角丸長方形を指すものとする。
【００１９】
図１（Ａ）は、本発明における第１の実施の形態である釣糸の留め具１Ａの平面図、図１（Ｂ）はその左側面図、図２（Ａ）は図１（Ａ）のＸ−Ｘ線に沿う断面図、図２（Ｂ）は図１（Ｂ）のＹ−Ｙ線に沿う断面図を示している。この釣糸の留め具１Ａは、ステンレスやニッケル等の金属製の管状部材からなり、挿通する釣糸の直径の１〜１．４倍の短径ａと前記直径の２倍以上の長径ｂを有して、断面形状が楕円形の挿通孔１１を母体１０の中心線に沿って備えている点を特徴としている。また、その母体１０は、ほぼ同一の肉厚からなる周壁の内周面により挿通孔１１が形成されたものとなっている。
【００２０】
例えば図３（Ｃ）に示すように、挿通する釣糸７０がナイロンの０．３号で直径０．０９ｍｍ、釣糸８０がナイロンの０．４号で直径０．１０ｍｍの場合は、挿通孔１１の短径ａを０．１２ｍｍ、長径ｂを０．２６ｍｍ程度にすれば、挿入のしやすさと接続強度のバランスの観点で適度なものとなるが、このような釣糸の留め具１Ａは、既存の金属製の管状部材を外周側から押し潰して扁平に変形させるだけで低コスト且つ容易に作成することができる。
【００２１】
そして、図３（Ａ）に示すように、２本の釣糸７０，８０の先端を挿通孔１１の両端側から各々挿入し、反対側に出た部分に短径ａよりも大径の結び目７０ａ，８０ａを各々形成してから、両釣糸７０，８０を左右に引いて、図３（Ｂ）に示すように結び目７０ａ，８０ａを釣糸の留め具１Ａに当接させるだけで、両釣糸７０，８０を接続することができる。この場合、結び目７０ａ,８０ａは通常の止め結びとするよりも、固め結び又は８の字結びで作成することが、結び目による瘤の大きさ（径）を確保しながら高い結節強度を実現する観点で好ましい。
【００２２】
或いは、図５（Ａ）に示すように、１本の釣糸６０の先端をその挿通孔１１の一端側から挿入して他端側に延出するとともに、固定対象物である錘２００のリング２００ａに挿通してから挿通孔１１の他端側に挿入し、一端側に出た部分に結び目６０ａを形成した後、釣糸６０を引いてその結び目６０ａを釣糸の留め具１１Ａに当接させることで、１本の釣糸６０を前記対象物に容易に固定することができる。
【００２３】
一方、極細の釣糸を短径がそれよりも僅かに大きい狭小な挿通孔１１に挿入する作業が容易ではないという問題点もあるが、図２（Ａ），（Ｂ）の断面図に示したように、釣糸の留め具１Ａにおける挿通孔１１の両端側で端面に開口した開口部の外周側に、その挿通孔１１の内周面と前記端面とで形成される角部を面取りしながら挿入する釣糸の先端を挿通孔１１内に案内する傾斜面１１ａ，１１ｂが、所定幅に亘って形成されており、その点も本実施の形態の特徴となっている。
【００２４】
このような構成を採用したことで、極細の釣糸であってもその先端側が傾斜面１１ａ，１１ｂで案内されて、挿通孔１１の狭小な開口部に挿入することが比較的容易なものとなり、且つ、釣糸７０，８０の結び目７０ａ，８０ａ及びそれに近接した部分が前記角部で傷付くのを防止しながら、結び目７０ａ，８０ａが傾斜面１１ａ，１１ｂの谷状の対向面の間に挟まれながら各々面接触することにより、高い引っ張り強度を実現している。
【００２５】
また、その傾斜面１１ａ，１１ｂは、挿通孔１１の中心軸線に対する直角面を基準として平均で３０〜６０度傾斜したものであることが好ましい（図のように４５度前後がより好ましい）。これは、３０度未満であると釣糸の案内がスムーズに行われにくくなり、６０度を超えると釣糸の結び目が傾斜面に挟まって抜けにくくなるからである。
【００２６】
さらに、図１（Ｂ）に示すように中心軸線方向に沿う側面視による傾斜面１１ａ，１１ｂの面積は、挿通孔１１の２倍以上であることが、釣糸の先端を傾斜面に位置合わせしやすくする観点で好ましい。このように、傾斜面１１を大きく確保しながら前述のような傾斜角度にすることで、釣糸の挿通作業の容易さを確保しながら挿通した釣糸における充分なる引っ張り強度を実現しやすいものとなる。
【００２７】
図４（Ａ）は、本発明における第２の実施の形態である釣糸の留め具１Ｂの横断面図、（Ｂ）は（Ａ）の縦断面図を示している。この釣糸の留め具１Ｂは、母体９の長手方向両端側に大径部９ａ，９ｂが形成されている点を特徴としている。また、その挿通孔１２両端側の傾斜面１２ａ，１２ｂの外縁による短径及び長径が、大径部９ａ，９ｂ以外の部分の外周面による短径及び長径よりも各々大きいものとなっている。
【００２８】
このような大径部９ａ，９ｂが母体９の両端側に形成されるとともに傾斜面１２ａ，１２ｂが拡大されたことで、案内可能な範囲も拡大されたことから釣糸の挿入作業が一層容易になることに加え、後述するように噛み潰し錘を釣糸の留め具に固定する際に、大径部９ａ，９ｂが係止構造として機能するため、錘の位置ズレを起こしにくいものとなる。
【００２９】
また、この釣糸の留め具１Ｂは、図５（Ｂ）に示すように、釣糸６０を一端側から挿通して延出しながら、固定対象物であるルアー３００のリング（アイ）３００ａに挿通して他端側から挿通して一端側に出た先端側に結び目６０ａを作ることで、上述と同様に１本の釣糸６０を対象物に固定することができ、その作業も極めて容易である。尚、この場合、結び目６０ａが拡大された傾斜面内に没入して引き出しにくくなることもあるため、結び目から出た釣糸の余り部分をある程度長く残しておき、これを指で摘んで結び目６０ａを引き出せるようにしておくことが好ましい。
【００３０】
図６（Ａ）は、図１の釣糸の留め具１Ａを釣糸７０，８０の接続手段として使用することに加え、噛み潰し錘１００の固定部として使用する場合を示したものであり、（Ｂ）に示すように、噛み潰し錘１００のスリット１００ａ内に釣糸の留め具１Ａを挿入してからスリット１００ａの内面が密着するように上下から押し潰すことにより、釣糸の留め具１Ａに対して堅固に固定される。
【００３１】
この場合、図６（Ｃ）に示すように、釣糸の留め具１Ａの両端面が噛み潰し錘１００の左右両端面に揃うようなサイズとすることで、噛み潰し錘１００のスリット１００ａの角部で釣糸７０，８０が傷つくこと回避できる。また、噛み潰し錘１００を釣糸に直接固定しない方式を採用したことで、従来例において生じていた錘を直接装着することによる釣糸の損傷を回避できるとともに、固定した噛み潰し錘１００のサイズ変更作業も容易に行えるものとなる。
【００３２】
図７（Ａ）は、釣糸の留め具１Ｂを、金属体である錘体１１０の中心線に沿って内装してなる釣用錘２Ｂの正面図、（Ｂ）はその左側面図（釣糸７０，８０は省略）、（Ｃ）は（Ｂ）のＹ−Ｙ線に沿う断面図を示している。この釣用錘２Ｂは、釣糸の留め具が釣用錘を構成している点を特徴としている。
【００３３】
この場合、例えば道糸である釣糸８０とハリスである釣糸７０を接続する機能に加え、錘としての機能も発揮することができ、錘体１１０の釣糸の留め具１Ｂを挿設している挿入孔の開口部１１０ａ，１１０ｂ内に傾斜面１２ａ，１２ｂが露出しており、この傾斜面１２ａ，１２ｂの外周側に錘体１１０の開口部の傾斜面が連続して拡大されていることから、釣糸７０，８０の挿入作業も一層容易に行えるものとしている。
【００３４】
図８（Ａ）は、上述した釣糸の留め具１Ｂに噛み潰し錘１００を固定する場合の一例を縦断面図で示したものであり、釣糸の留め具１Ｂの大径部９ａ，９ｂが噛み潰し錘１００のスリット１００ａ両端側に突出していることで、錘の位置ズレが生じにくいものとなっている。尚、噛み潰し錘１００の左右幅が釣糸の留め具１Ｂよりも大きい場合でも、そのスリット１００ａ内で大径部９ａ，９ｂが挟み込まれる結果、前記同様に錘の位置ズレが生じにくいものとなる。
【００３５】
一方、図８（Ｂ）は、上述した釣用錘２Ｂ，２Ｃの応用例としての釣用錘２Ｄを示しており、釣糸の留め具１Ｂと錘体１１０又は噛み潰し錘１００が一体となっているとともに、その素材として、例えばタングステン合金のように通常の釣用錘に用いられる鉛よりも硬質の金属を用いることで、優れた耐久性を発揮可能である点を特徴としている。尚、挿通孔１３の両端側に傾斜面１３ａ，１３ｂがあることで、釣糸の挿入作業が容易になる点は上述と同様である。
【００３６】
一方、図８（Ｃ）は、上述した釣糸の留め具１Ａ，１Ｂに対する着脱作業を容易なものとした錘体１２０、及びそれを備えた釣用錘２Ｅを示している。この場合、錘体１２０には鉛よりも硬質で弾性変形能に優れた金属素材を用いたことで、スリット１２０ａが弾性的に僅かに開閉可能なものとなって、釣糸の留め具１Ａ，１Ｂに対し着脱自在となっている点を特徴としている。
【００３７】
尚、上述した実施の形態において、釣糸の留め具における挿通孔の断面形状は楕円形である場合を説明したが、図９（Ａ）,（Ｂ）に示す釣糸の留め具１Ｃ，１Ｄのように、断面形状が長円形の挿通孔１４，１５を備えたものであっても、上述と同様の作用・効果が期待でき、その場合、挿通孔１４，１５を設ける母体の外周面の断面形状も長円形とすることが好ましい。また、本発明は挿通孔のサイズで適用できる釣糸の太さの範囲が決まるものであるが、適用可能な釣糸の範囲に応じた複数色で母体を色分けしても良い。
【００３８】
以上述べたように、釣糸の留め具について、本発明により、細い釣糸であってもその接続や固定が容易に行えるものを低コストで提供できるようになった。
【符号の説明】
【００３９】
１Ａ，１Ｂ，１Ｃ，１Ｄ  釣糸の留め具、２Ａ，２Ｂ，２Ｃ，２Ｄ，２Ｅ  釣用錘、９，１０  母体、９ａ，９ｂ  大径部、１１，１２，１３，１４，１５  挿通孔、１１ａ，１１ｂ，１２ａ，１２ｂ，１３ａ，１３ｂ，１４ａ，１５ａ  傾斜面、６０，７０，８０  釣糸、６０ａ，７０ａ，８０ａ  結び目、１００  噛み潰し錘、１００ａ  スリット、１１０  錘体、２００  錘、３００  ルアー
【図１】
2018019648.tif 000003
【図２】
2018019648.tif 000004
【図３】
2018019648.tif 000005
【図４】
2018019648.tif 000006
【図５】
2018019648.tif 000007
【図６】
2018019648.tif 000008
【図７】
2018019648.tif 000009
【図８】
2018019648.tif 000010
【図９】
2018019648.tif 000011
【図１０】
2018019648.tif 000012